(57)【特許請求の範囲】
【請求項１】
オーディオ信号の入力又は出力が可能なピン状プラグ対応のオーディオ信号ジャック部と、
上記オーディオ信号ジャック部と隣接して配設される通信ジャック部とを備え、
上記通信ジャック部は略同一形状で異なる第１の通信規格と第２の通信規格とに各々対応するプラグが排他的に挿抜され、上記第１の通信規格に対応する接続端子と上記第２の通信規格に対応する接続端子とを対向して備えること
を特徴とするオーディオおよびデータ通信用ジャック。
【請求項２】
オーディオデータを再生する再生手段と、
上記再生手段にて再生されたオーディオ信号の出力が可能なピン状プラグ対応のオーディオ信号ジャック部と、
上記オーディオ信号ジャック部と隣接して配設される通信ジャック部とを備え、
上記通信ジャック部は略同一形状で異なる第１の通信規格と第２の通信規格とに各々対応するプラグが排他的に挿抜され、上記第１の通信規格に対応する接続端子と上記第２の通信規格に対応する接続端子とを対向して備えられ、
上記再生手段にて再生されるオーディオ信号が上記オーディオ信号ジャック部から出力される再生装置。
【発明の詳細な説明】
【０００１】
【発明の属する技術分野】
本発明は、所定のデータ通信規格に従ってデータ通信を行うために機器やケーブルの末端に備えられるオーディオおよびデータ通信用ジャック、再生装置に関するものである。
【０００２】
【従来の技術】
近年は、例えばＭＤ（ミニディスク）システムやＤＡＴ(Digital Audio Taperecorder)等のデジタルオーディオ機器が広く普及している。このようなデジタルオーディオ機器では、ディスク又は磁気テープ等の記録媒体に対して音声信号をデータとして記録再生することが行われる。
【０００３】
また、上記ＭＤシステムやＤＡＴなどのデジタルオーディオ機器は、携帯用のものも広く知られている。このような携帯用のデジタルオーディオ機器では、例えば機器本体に対してヘッドフォンを接続して再生音声を聴くようにされる。そして、一般には、ヘッドフォンのコードの中間あたりに対してリモートコントローラ（以下、単に「リモコン」と略す）としての操作部を備えることで、機器本体に設けられた操作キー等を直接操作しなくとも、リモコンに対する操作によって、各種再生動作をはじめとする所要の操作を行うことができるようにされているものが多く存在する。この際、リモコンとしての操作部位近傍に対して表示部等を設けることで、例えば現在の再生状況などを表示により提示することも行われている。
【０００４】
上記のようにして、リモコンによるデジタルオーディオ機器に対する操作、及び表示部に対する表示を行わせるため、一般には、ヘッドフォンコードには、音声信号のラインに加え、リモコン部位と機器本体間のデータ通信を行うためのラインが配線される。
そして、機器本体側には、コネクタ部位として、例えばヘッドフォンコードのプラグが挿入されるジャックが設けられるが、これらプラグとジャック部分には、それぞれ音声信号の伝送のための電極と、リモコンに対応するデータ通信用の電極とが配置されていることになる。
【０００５】
【発明が解決しようとする課題】
ところで、上記したようなデジタルオーディオ機器では、デジタルオーディオデータを入力して記録したり、記録媒体から再生したデジタルオーディオデータを外部に出力させるように構成することが可能とされる。
【０００６】
ここで、例えば上記したデジタルオーディオデータの入出力に、ＩＥＥＥ１３９４等の高速通信が可能な規格を採用し、特に、このような高速通信に対応した機能を、上記したＭＤやＤＡＴなどの携帯機器に搭載しようとした場合には、次のような不都合が生じる。
【０００７】
例えば、ＩＥＥＥ１３９４の規格によるデータ通信機能を携帯用デジタルオーディオ機器に採用しようとすると、ＩＥＥＥ１３９４に適合したコネクタを追加する必要が生じることになる。
ところが、新規にデータ通信用のコネクタを追加することは、小型化の促進が要求される携帯用デジタルオーディオ機器には不利であり、現状としても、既にＩＥＥＥ１３９４に適合したコネクタを設けるようなスペースを確保することは困難である。
【０００８】
そこで、現行の携帯用デジタルオーディオ機器に備えられているデータ通信用のコネクタを兼用する、つまり、前述したリモコン部位とのデータ通信のためのジャックの電極端子を利用してデータ伝送を行うことが考えられるが、これも実現性に乏しい。
つまり、現行のリモコン部位とのデータ通信には、一般にローカル仕様のＴＳＢによる低速通信が使用されるのであるが、このローカル仕様のＴＳＢとＩＥＥＥ１３９４とでは、例えばコネクタ構造の規格等をはじめとする物理的仕様及び通信プロトコルに共通性はない。
ここで、例えば異なるデータ通信規格間で、或る現行のコネクタを兼用しようとした場合、物理的仕様及び通信プロトコルが同一でなければ通信は不可能なものである。
【０００９】
【課題を解決するための手段】
そこで、本発明は上記した課題を考慮して、できるだけ機器本体におけるコネクタの配置スペースを圧迫しないようにした上で、複数の異なるデータ通信に対応できるようにすることを目的とする。
【００１０】
このため、オーディオおよびデータ通信用ジャックとして、ピン状プラグ対応のオーディオ信号の入力又は出力が可能なオーディオ信号ジャック部と、上記オーディオ信号ジャック部と隣接して配設される通信ジャック部とを備え、上記通信ジャック部は略同一形状で異なる第１の通信規格と第２の通信規格とに各々対応するプラグが排他的に挿抜され、上記第１の通信規格に対応する接続端子と上記第２の通信規格に対応する接続端子とを対向して備えることとした。
【００１１】
また、再生装置として、オーディオデータを再生する再生手段と、上記再生手段にて再生されたオーディオ信号の出力が可能なピン状プラグ対応のオーディオ信号ジャック部と、上記オーディオ信号ジャック部と隣接して配設される通信ジャック部とを備え、上記通信ジャック部は略同一形状で異なる第１の通信規格と第２の通信規格とに各々対応するプラグが排他的に挿抜され、上記第１の通信規格に対応する接続端子と上記第２の通信規格に対応する接続端子とを対向して備えられ、上記再生手段にて再生されるオーディオ信号が上記オーディオ信号ジャック部から出力されることとした。
【００１２】
上記構成によれば、例えばデータ通信用ジャック及びデータ通信用プラグとして、或る特定のデータ通信規格に共通に対応するデータ通信用ジャック及びデータ通信用プラグを接続した場合にのみ、上記或る特定のデータ通信規格に対応して設けられている両者の電極端子同士が接続されることになる。
【００１３】
【発明の実施の形態】
以下、本発明の実施の形態としてのデータ通信用ジャック及びデータ通信プラグについて説明する。
また、本実施の形態としてのデータ通信用ジャック及びデータ通信プラグは、デジタルオーディオデータをデジタルオーディオ機器間で授受するための機器本体、又はケーブルの末端に備えられるものとする。
また、本実施の形態としてのデータ通信用ジャックが備えられるデジタルオーディオ機器としては、光磁気ディスクであるＭＤに対応して記録再生を行うことのできる記録再生装置とする。
また、本実施の形態におけるデジタルオーディオデータのデータ通信規格としては、ＩＥＥＥ１３９４を採用するものとする。
以降の説明は次の順序で行う。
１．システム構成
２．記録再生装置
３．ＭＤジャックの構造
４．ヘッドフォン／リモコンプラグ
５．データ通信プラグ
【００１４】
１．システム構成
図１は、本発明のデータ通信システムの一構成例を示すものとされる。
この図において、記録再生装置１は、ＭＤ（ミニディスク；以降単に「ディスク」ともいう）に対応して記録再生を行うことのできる、携帯用のミニディスクプレーヤとされる。
この記録再生装置１には、ＭＤジャック２６が備えられている。この図に示すＭＤジャック２６としては、ヘッドフォンジャック２２と、データコネクタ２５が表出して設けられた状態が示されている。本実施の形態の場合、ＭＤジャック２６に対しては、リモコン付きヘッドフォン１００の末端のヘッドフォン／リモコンプラグ１１０、或いはデータ通信用ケーブルの一方の末端のデータ通信プラグ２１０の何れか一方を挿入して接続可能な構造を有している。
なお、記録再生装置１の内部構成、及びＭＤジャック２６の構造については後述する。
【００１５】
リモコン付きヘッドフォン１００は、記録再生装置１で再生されたディスクの音声を聴くと共に、記録再生装置１に対して主として各種再生に関する操作を行うためのものとされる。
図のように、リモコン付きヘッドフォン１００は、再生音声が出力されるイヤードライバ１０１と、ユーザが記録再生装置１に対する各種再生動作をはじめとする所要の操作を行うためのリモコン部１０３がコード１０２により接続され、更にリモコン部１０３とヘッドフォン／リモコンプラグ１１０がコード１０４により接続されて構成される。
リモコン部１０３においては、例えば実際には、再生、停止、一時停止、早送り、早戻し等をはじめとする所要の動作を記録再生装置１に行わせるための各種キーが設けられる。また、この場合には、例えば現在の動作に応じて所要の情報を提示するための表示部１０３ａが備えられている。
【００１６】
このリモコン付きヘッドフォン１００のヘッドフォン／リモコンプラグ１１０は、プラグ本体１１１に対して、ヘッドフォンジャック２２に接続されるヘッドフォンプラグ１１２と、データコネクタ２５と接続されるコネクタ部１１３とが設けられる構造を採る。
【００１７】
ヘッドフォン／リモコンプラグ１１０をＭＤジャック２６に接続すると、リモコン部１０３と記録再生装置１側とのデータ通信が可能になり、記録再生装置１側から表示部１０３ａに対する表示データの伝送などが行われて、表示部１０３ａにおける表示が実行される。また、リモコン部１０３に対する操作により得られる操作情報の記録再生装置１側への伝送も可能となる。
また、記録再生装置１のアナログ音声信号出力がイヤードライバ１０１と接続される。
【００１８】
ここで、記録再生装置１に対してディスクを装填したうえで、ユーザがリモコン部１０３に対して再生開始のための操作を行ったとすると、この操作情報が記録再生装置１に対して送信され、記録再生装置１ではディスクの再生を開始する。これにより、リモコン付きヘッドフォン１００のイヤードライバ１０１からは記録再生装置１により再生されているディスクの音声が出力される。また、表示部１０３ａには、現在の再生トラックや再生時間等をはじめとする所要の内容の表示が行われることになる。
【００１９】
この場合、データ入出力機器２００は、例えば記録再生装置１とは異なる他のＭＤプレーヤをはじめ、ＤＡＴなど他の種類のデジタルオーディオ機器とされ、ＩＥＥＥ１３９４に対応してデジタルオーディオデータの送受信を行うことが可能とされている。
【００２０】
データ通信用ケーブル２０２は、この場合、データ入出力機器２００のデータ通信用ジャック２０１に適合して接続可能なコネクタ形状及び構造を有するデータ通信プラグ２０３と、記録再生装置１のＭＤジャック２６に適合して接続可能なコネクタ形状及び構造を有するデータ通信プラグ２１０をコード２０４により接続して構成される。
データ通信プラグ２１０もまた、プラグ本体２１１に対してヘッドフォンジャック２２に接続されるヘッドフォンプラグ２１２と、データコネクタ２５と接続されるコネクタ部２１３とが設けられた構造を採る。
【００２１】
データ入出力機器２００と記録再生装置１とでデジタルオーディオデータの送受信を行う場合の一例として、データ入出力機器２００にて再生したデジタルオーディオデータを記録再生装置１側で入力して記録を行う、いわゆるダビングを行うには、例えば次のようにして行う。
【００２２】
先ず、ユーザは、データ入出力機器２００と記録再生装置１とをデータ通信用ケーブル２０２により接続する。つまり、データ入出力機器２００のデータ通信用ジャック２０１とデータ通信プラグ２０３とを接続し、記録再生装置１のＭＤジャック２６とデータ通信プラグ２１０とを接続する。
【００２３】
そして、記録再生装置１側をデジタル入力モードにより記録動作を開始させると共に、データ入出力機器２００により再生を行わせる。
これにより、データ入出力機器２００にて記録媒体から再生されたデジタルオーディオデータがデータ通信用ケーブル２０２を介して記録再生装置１に対して入力される。記録再生装置１側ではこの入力されたデジタルオーディオデータをディスクに対して記録していくようにされる。このようにして、デジタルオーディオデータによるダビングが行われる。
【００２４】
なお、上記図１において、本実施の形態の特徴の１つとなるヘッドフォン／リモコンプラグ１１０及びデータ通信プラグ２１０の構成については後述する。
また、この図に示すシステム構成はあくまでも一例であり、特に前述したように、データ入出力機器２００とされるデジタルオーディオ機器の種類は特に限定されるものではない。また、記録再生装置１、リモコン付きヘッドフォン１００、及びデータ通信用ケーブルの具体的形状等もこの図に示すものに限定されるものではない。
【００２５】
２．記録再生装置
本実施の形態のミニディスク記録再生装置１の構成を図２で説明する。
音声データが記録される光磁気ディスク（ミニディスク）９０は、スピンドルモータ２により回転駆動される。そして光磁気ディスク９０に対しては記録／再生時に光学ヘッド３によってレーザ光が照射される。
【００２６】
光学ヘッド３は、記録時には記録トラックをキュリー温度まで加熱するための高レベルのレーザ出力を行ない、また再生時には磁気カー効果により反射光からデータを検出するための比較的低レベルのレーザ出力を行なう。
このため、光学ヘッド３にはレーザ出力手段としてのレーザダイオード、偏光ビームスプリッタや対物レンズ等からなる光学系、及び反射光を検出するためのディテクタ等が搭載されている。対物レンズ３ａは２軸機構４によってディスク半径方向及びディスクに接離する方向に変位可能に保持されている。
【００２７】
また、ディスク９０を挟んで光学ヘッド３と対向する位置に磁気ヘッド６ａが配置されている。磁気ヘッド６ａは供給されたデータによって変調された磁界を光磁気ディスク９０に印加する動作を行なう。
光学ヘッド３全体及び磁気ヘッド６ａは、スレッド機構５によりディスク半径方向に移動可能とされている。
【００２８】
再生動作によって、光学ヘッド３によりディスク９０から検出された情報はＲＦアンプ７に供給される。ＲＦアンプ７は供給された情報の演算処理により、再生ＲＦ信号、トラッキングエラー信号ＴＥ、フォーカスエラー信号ＦＥ、グルーブ情報（光磁気ディスク９０にプリグルーブ（ウォブリンググルーブ）として記録されている絶対位置情報）ＧＦＭ等を抽出する。
抽出された再生ＲＦ信号はエンコーダ／デコーダ部８に供給される。また、トラッキングエラー信号ＴＥ、フォーカスエラー信号ＦＥはサーボ回路９に供給され、グルーブ情報ＧＦＭはアドレスデコーダ１０に供給される。
【００２９】
サーボ回路９は供給されたトラッキングエラー信号ＴＥ、フォーカスエラー信号ＦＥや、マイクロコンピュータにより構成されるシステムコントローラ１１からのトラックジャンプ指令、アクセス指令、スピンドルモータ２の回転速度検出情報等により各種サーボ駆動信号を発生させ、２軸機構４及びスレッド機構５を制御してフォーカス及びトラッキング制御を行ない、またスピンドルモータ２を一定線速度（ＣＬＶ）に制御する。
【００３０】
アドレスデコーダ１０は供給されたグルーブ情報ＧＦＭをデコードしてアドレス情報を抽出する。このアドレス情報はシステムコントローラ１１に供給され、各種の制御動作に用いられる。
また再生ＲＦ信号についてはエンコーダ／デコーダ部８においてＥＦＭ復調、ＣＩＲＣ等のデコード処理が行なわれるが、このときアドレス、サブコードデータなども抽出され、システムコントローラ１１に供給される。
【００３１】
エンコーダ／デコーダ部８でＥＦＭ復調、ＣＩＲＣ等のデコード処理された音声データ（セクターデータ）は、メモリコントローラ１２によって一旦バッファメモリ１３に書き込まれる。なお、光学ヘッド３によるディスク９０からのデータの読み取り及び光学ヘッド３からバッファメモリ１３までの系における再生データの転送は1.41Mbit/secで、しかも通常は間欠的に行なわれる。
【００３２】
バッファメモリ１３に書き込まれたデータは、再生データの転送が0.3Mbit/sec となるタイミングで読み出され、エンコーダ／デコーダ部１４に供給される。そして、音声圧縮処理に対するデコード処理等の再生信号処理を施され、４４．１ＫＨｚサンプリング、１６ビット量子化のデジタルオーディオ信号とされる。
このデジタルオーディオ信号はＤ／Ａ変換器１５によってアナログ信号とされ、出力処理部１６でレベル調整、インピーダンス調整等が行われてライン出力端子１７からアナログオーディオ信号Ａｏｕｔとして外部機器に対して出力される。また、出力処理部１６からのアナログ音声信号出力は、ヘッドフォンアンプ１８に対しても供給される。ヘッドフォンアンプ１８の出力は、ヘッドフォンジャック２２に供給される。このヘッドフォンジャック２２は、図１により示したように、ＭＤジャック２６の一部を成すものである。
【００３３】
また、本実施の形態の記録再生装置１では、ディスク９０から再生したデジタルオーディオデータをアナログ信号に変換することなく、例えばＩＥＥＥ１３９４の規格に従って外部にデジタル出力させることも可能とされるが、これについては後述する。
【００３４】
光磁気ディスク９０に対して、アナログ信号によるオーディオ信号を入力して記録を実行する際には、ライン入力端子２０に供給された記録信号（アナログオーディオ信号Ａｉｎ）を、Ａ／Ｄ変換器１９によってデジタルデータとした後、エンコーダ／デコーダ部１４に供給し、音声圧縮エンコード処理を施す。
また、後述するようにして、データ入力のための電極端子Ｔ１４を介して供給されたデジタルオーディオデータも、記録データとして扱うようにされる。
なお図示していないがマイクロフォン入力端子を設け、マイクロフォン入力を記録信号として用いることも当然可能である。
【００３５】
エンコーダ／デコーダ部１４によって圧縮された記録データはメモリコントローラ１２によって一旦バッファメモリ１３に書き込まれて蓄積されていった後、所定量のデータ単位毎に読み出されてエンコーダ／デコーダ部８に送られる。そしてエンコーダ／デコーダ部８でＣＩＲＣエンコード、ＥＦＭ変調等のエンコード処理された後、磁気ヘッド駆動回路６に供給される。
【００３６】
磁気ヘッド駆動回路６はエンコード処理された記録データに応じて、磁気ヘッド６ａに磁気ヘッド駆動信号を供給する。つまり、光磁気ディスク９０に対して磁気ヘッド６ａによるＮ又はＳの磁界印加を実行させる。また、このときシステムコントローラ１１は光学ヘッドに対して、記録レベルのレーザ光を出力するように制御信号を供給する。
【００３７】
また、本実施の形態としての記録再生装置１においては、図１に示したＭＤジャック２６におけるデータコネクタ２５を回路的に形成する部位として、リモコン接続部２３とデータ通信接続部２４とが設けられる。
リモコン接続部２３は、ヘッドフォン／リモコンプラグ１１０のコネクタ部１１３が接続された場合に対応して接続されるべき端子を備えて成るもので、この場合には、４つの端子Ｔ１〜Ｔ４が備えられる。
この場合、端子Ｔ１にはアースライン、端子Ｔ２には表示部１０３ａに対する表示制御用データ（ＲＣデータ）伝送ライン、端子Ｔ３にはリモコン部１０３からの操作情報としてのデータ（キー入力データ）の伝送ライン、端子Ｔ４には記録再生装置１側からリモコン部１０３（表示部１０３ａへの駆動電源も含む）に供給すべき電源の伝送ラインがそれぞれ接続される。
【００３８】
データ通信接続部２４は、ＩＥＥＥ１３９４によるデジタルオーディオデータの伝送のための部位であり、データ通信プラグ２１０のコネクタ部２１３が接続された場合に対応して接続されるべき電極端子を備えて成る。この場合には、端子Ｔ１１〜Ｔ１６までの６つの電極端子が備えられる。
端子Ｔ１１にはアースライン、端子Ｔ１２には記録再生装置１からデータ出力するためのデータ出力ライン、端子Ｔ１３にはデータ出力ラインと対となるグランドライン、端子Ｔ１４には記録再生装置１にデータを入力するためのデータ入力ライン、端子Ｔ１５にはデータ入力ラインと対となるグランドライン、端子Ｔ１５には、後述する記録再生装置１の電源部３１に対して外部から電源を供給、或いは電源部３１から電力を外部に供給するための電源伝送ラインがそれぞれ接続される。
【００３９】
データエンコーダ／デコーダ２１は、ＩＥＥＥ１３９４の規格に従って入出力されるデータについてのエンコード処理及び復調処理を行うための回路部位とされる。
ここで、端子Ｔ１４を介して外部よりオーディオデータが入力された場合には、データエンコーダ／デコーダ２１は、このＩＥＥＥ１３９４の規格に準拠した入力データについて、当該記録再生装置１が対応するフォーマットに適合するようにして復調処理を施して、エンコーダ／デコーダ部８、又はエンコーダ／デコーダ部１４に対して記録データとして伝送する。
【００４０】
ここで、データエンコーダ／デコーダ２１からエンコーダ／デコーダ部８にデータを伝送する場合とは、入力されたデジタルオーディオデータが、例えば、ＭＤシステムに対応する音声データ圧縮フォーマットであるＡＴＲＡＣ(Adaptve Transform Acoustic Coding)方式により既に圧縮された形式のデータである場合であり、この場合には、例えばエンコーダ／デコーダ部８における転送クロックに対応するビットレートでデータを出力する。
また、データエンコーダ／デコーダ２１からエンコーダ／デコーダ部１４にデータを伝送する場合とは、入力されたデジタルオーディオデータが圧縮されない形式のデータである場合であり、この場合には、例えばエンコーダ／デコーダ部１４における転送クロックに対応するビットレートでデータを出力することになる。
【００４１】
また、記録再生装置１によりディスク９０から再生したオーディオデータを外部に出力する場合には、データエンコーダ／デコーダ２１では、エンコーダ／デコーダ部８により得られる圧縮オーディオデータ、又はエンコーダ／デコーダ部１４にて得られる伸張処理後のオーディオデータを入力し、ＩＥＥＥ１３９４に従った伝送フォーマットに適合するエンコード処理を施して、所要のビットレートでもって端子Ｔ１２に対して出力するようにされる。
【００４２】
操作部２９には、記録／再生／編集動作等をユーザーが指示するための各種の操作キーが設けられている。
具体的には、再生キー、記録キー、停止キー、記録キー、ＡＭＳ／サーチキー、一時停止キー、編集モードキー、編集操作キー、表示モードキー等が設けられ、またディスクタイトルやトラックネームの入力や、その他情報入力のための操作子等が設けられる。編集動作としては、トラックネーム入力、ディスクネーム入力、トラック分割、トラック連結、トラック移動（再生順としてのトラックナンバの変更）、トラック消去などが可能とされており、これらの編集動作の指示のために必要な操作子が設けられている。
【００４３】
操作部２９の操作キーやダイヤルによる操作情報、及び端子Ｔ３を介して入力されたリモコン部１０３（リモコン付ヘッドフォン１００）からの操作情報は、システムコントローラ１１に供給され、システムコントローラ１１は操作情報に応じた動作制御を実行することになる。
【００４４】
また表示部３０は例えば機器筺体上に設けられるもので、この表示動作はシステムコントローラ１１によって制御される。
即ちシステムコントローラ１１は表示動作を実行させる際に表示すべきデータを表示部３０内の表示ドライバに送信する。表示ドライバは供給されたデータに基づいて液晶パネルなどによる表示ディスプレイを駆動し、所要の数字、文字、記号などの表示を実行させる。
また、同様にして、リモコン付ヘッドフォン１００の表示部１０３ａに対しても、表示制御データを端子Ｔ２を介して出力することで、表示部１０３ａにおける表示を実行させることができる。
【００４５】
システムコントローラ１１は、ＣＰＵ、プログラムＲＯＭ、ワークＲＡＭ、インターフェース部等を備えたマイクロコンピュータとされ、上述してきた各種動作の制御を行う。
【００４６】
ところで、ディスク９０に対して記録／再生動作を行なう際には、ディスク９０に記録されている管理情報、即ちＰ−ＴＯＣ（プリマスタードＴＯＣ）、Ｕ−ＴＯＣ（ユーザーＴＯＣ）を読み出す必要がある。システムコントローラ１１はこれらの管理情報に応じてディスク９０上の記録すべきエリアのアドレスや、再生すべきエリアのアドレスを判別することとなる。
この管理情報はバッファメモリ１３に保持される。
そして、システムコントローラ１１はこれらの管理情報を、ディスク９０が装填された際に管理情報の記録されたディスクの最内周側の再生動作を実行させることによって読み出し、バッファメモリ１３に記憶しておき、以後そのディスク９０に対する記録／再生／編集動作の際に参照できるようにしている。
【００４７】
また、Ｕ−ＴＯＣはデータの記録や各種編集処理に応じて書き換えられるものであるが、システムコントローラ１１は記録／編集動作のたびに、Ｕ−ＴＯＣ更新処理をバッファメモリ１３に記憶されたＵ−ＴＯＣ情報に対して行ない、その書換動作に応じて所定のタイミングでディスク９０のＵ−ＴＯＣエリアについても書き換えるようにしている。
【００４８】
３．ＭＤジャックの構造
図３は本実施の形態の記録再生装置１に備えられるＭＤジャック２６を示す正面図であり、この正面部分が記録再生装置１の本体から表出するようにして取り付けられるものである。
この図に示すように、ＭＤジャック２６は、例えば樹脂等より成るケースブロック３００に対して、大きくはヘッドフォンジャック２２及びデータコネクタ２５とが一体化されて組み込まれるようにされた構造を採る。
本実施の形態では、ＭＤジャック２６に対して、ヘッドフォンジャックとデータ通信用のコネクタ部とが対となって一体化されたプラグが差し込まれる。
そこで、例えば上記した構造とすることで、ヘッドフォンジャック２２とデータコネクタ２５が個別に取り付けられる構造を採る場合と比較して、ＭＤジャック２６としての強度を高めることができる。また、複数部品が一体化されるため、製造工程時における部品管理の効率や、機器の組立などの製造能率も向上させることが可能になる。
【００４９】
ここで、データコネクタ２５のコネクタ開口部（プラグ差込部位）３０２は、正面から見て略長方形の開口部形状を有するものとされ、この開口部内に対して、その上面部には４つの電極端子３１１，３１２，３１３，３１４が図のように配置されて取り付けられる。また、下面部に対しては、６つの電極端子３２１，３２２，３２３，３２４、３２５，３２６が図のように配列されて取り付けられる。
【００５０】
この場合、コネクタ開口部３０２の上面部に配置される電極端子３１１，３１２，３１３，３１４は、回路的には図２に示したリモコン接続部２３に対応するものであり、電極端子３１１，３１２，３１３，３１４が、それぞれ端子Ｔ１，Ｔ２，Ｔ３，Ｔ４の何れか１つと対応して接続されているものである。
【００５１】
また、コネクタ開口部３０２の下面部に配置される電極端子３２１，３２２，３２３，３２４、３２５，３２６は、回路的にはデータ通信接続部２４（図２参照）に対応するものであり、電極端子３１１，３１２，３１３，３１４が、それぞれ端子Ｔ１１，Ｔ１２，Ｔ１３，Ｔ１４，Ｔ１５，Ｔ１６の何れか１つと対応して接続される。
【００５２】
図４に、上記図３の一点鎖線Ａによる視矢の断面図を示す。
この図に示すようにコネクタ開口部３０２の内部において、上側壁面に対してリモコン接続部２３に対応する電極端子３１１が取り付けられ、下側壁面に対してデータ通信接続部２４に対応する電極端子３２１が取り付けられていることが分かる。また、残りの電極端子３１２，３１３，３１４、及び電極端子３２２，３２３，３２４，３２５，３２６もそれぞれ同様の位置状態で取り付けられているものである。
【００５３】
４．ヘッドフォン／リモコンプラグ
図５（ａ）（ｂ）（ｃ）は、本実施の形態としてのヘッドフォン／リモコンプラグ１１０を示す正面図、側面図、及び平面図である。なお、この図において図１及び図２と同一部分には同一符号を付している。
ヘッドフォン／リモコンプラグ１１０は、プラグ本体１１１に対して、これらの図のようにステレオ対応のヘッドフォンプラグ１１２とコネクタ部１１３が一体的に取り付けられる構造を有する。
ここで、図５（ａ）に示すようにして、コネクタ部１１３を正面から見てその左側の面をＡ面、右側の面をＢ面とすると、コネクタ部１１３においては、図５（ａ）（ｂ）に示すようにして、Ｂ面側にのみ電極端子１２１，１２２，１２３，１２４が設けられる。これに対し、Ａ面側に電極端子は全く設けられていない。
上記電極端子１２１，１２２，１２３，１２４から引き出された配線ラインは、コード１０４の内部を通って、ここでは図示しないリモコン部１０３（及び表示部１０３ａ）における回路部と接続される。
また、ヘッドフォンプラグ１１２から引き出された配線ラインは、コード１０４の内部を通って、ここでは図示しないイヤードライバ１０１と接続される。
【００５４】
このヘッドフォン／リモコンプラグ１１０をＭＤジャック２６に挿入した場合には、ヘッドフォンプラグ１１２がヘッドフォンジャック２２に挿入されると同時に、コネクタ部１１３が、ＭＤジャック２６側のコネクタ開口部３０２（図３参照）に対して挿入されることになる。
【００５５】
上記状態では、先ず、リモコン付きヘッドフォン１００のイヤードライバ１０１と、記録再生装置１側のヘッドフォンアンプ１８とが回路的に接続されることになる。
また、コネクタ部１１３が、ＭＤジャック２６側のコネクタ開口部３０２に対して挿入されることで、この場合には、コネクタ部１１３の電極端子１２１，１２２，１２３，１２４が、コネクタ開口部３０２上壁側の電極端子３１１，３１２，３１３，３１４とそれぞれ接触する状態が得られる。
これにより、記録再生装置１側のリモコン接続部２３と、リモコン付きヘッドフォン１００側のリモコン部１０３及び表示部１０３ａ内の回路部とが接続されることになる。これにより、図１にて説明したようにして、リモコン付きヘッドフォン１００を利用した記録再生装置１の操作、及びイヤードライバ１０１による再生音声の出力が可能となる。
【００５６】
そしてこの際、コネクタ開口部３０２下壁側の電極端子３２１，３２２，３２３，３２４．３２５，３２６は、コネクタ部１１３の何れの電極端子とも接触しない状態にあるため、図２に示す端子Ｔ１１〜Ｔ１６はオープンとなる。つまり、ＩＥＥＥ１３９４によるデータ通信機能は動作しないことになる。
【００５７】
５．データ通信プラグ
図６（ａ）（ｂ）（ｃ）は、本実施の形態としてのデータ通信用ケーブル２０２に備えられるデータ通信プラグ２１０を示す正面図、側面図、及び平面図である。なお、この図において図１、図２と同一部分には同一符号を付している。
データ通信プラグ２１０も、プラグ本体２１１に対して、これらの図に示すようにステレオ対応のヘッドフォンプラグ２１２とコネクタ部２１３が一体的に取り付けられる。
ここでも、図６（ｂ）に示すようにして、コネクタ部２１３を正面から見てその左側の面をＡ面、右側の面をＢ面としている。そして、このコネクタ部２１３においては、図６（ａ）（ｂ）に示すようにして、Ａ面側にのみ電極端子２２１，２２２，２２３，２２４，２２５，２２６を設け、Ｂ面側には電極端子を全く設けないようにしている。つまり、図５に示したヘッドフォン／リモコンプラグ１１０におけるコネクタ部１１３とは、反対の面に対して所要の電極端子を設けるようにしている。
【００５８】
上記電極端子２２１，２２２，２２３，２２４，２２５，２２６から引き出された配線ラインは、コード２０４の内部を通って、ここでは図示しないもう一方の末端のデータ通信プラグ２０３（図１参照）側に設けられているとされる６つの電極端子と接続される。
また、この場合ヘッドフォンプラグ２１２はダミーであり、ヘッドフォンプラグ２１２からコード２０４の内部に対して配線ラインは引き出されない。
【００５９】
このデータ通信プラグ２１０をＭＤジャック２６に挿入した場合にも、ヘッドフォンプラグ２１２がヘッドフォンジャック２２に挿入されると同時に、コネクタ部２１３が、ＭＤジャック２６側のコネクタ開口部３０２（図３参照）に対して挿入されることになる。
【００６０】
この場合、上記接続状態にあっても、ヘッドフォンジャック２２の端子は実質的にはオープンの状態であり、データ通信用ケーブル２０２を介してオーディオ信号の出力は行われない。
一方、コネクタ部２１３が、ＭＤジャック２６側のコネクタ開口部３０２に対して挿入されることで、この場合には、コネクタ部２１３の電極端子２２１，２２２，２２３，２２４，２２５，２２６が、コネクタ開口部３０２上壁側の電極端子３２１，３２２，３２３，３２４，３２５，３２６とそれぞれ接触する状態が得られることになる。
これにより、記録再生装置１側のデータ通信接続部２４と、ここでは図示しないデータ入出力機器２００（図１参照）とがデータ通信用ケーブル２０２を介して接続され、記録再生装置１とデータ入出力機器２００間とで、例えばＩＥＥＥ１３９４によるオーディオデータの相互通信が可能となる。
【００６１】
また、この際、コネクタ開口部３０２上壁側の電極端子３１１，３１２，３１３，３１４は、コネクタ部２１３の何れの電極端子とも接触しない状態にあるため、図２に示す端子Ｔ１〜Ｔ４はオープンとなる。つまり、記録再生装置１においてはリモコンデータ送信に関しては機能せず、ＩＥＥＥ１３９４によるデータ通信機能が有効とされることになるものである。
【００６２】
このような構成によれば、ＭＤジャック２６に対して、リモコン付きヘッドフォン１００のヘッドフォン／リモコンプラグ１１０を差し込めば、通常にリモコンを操作しながらイヤードライバにより再生音声を聴くことができ、データ通信用ケーブル２０２のデータ通信プラグ２１０を差し込めば、ＩＥＥＥ１３９４によるオーディオデータの授受が可能なシステムを得ることが可能になる。
つまり、同一形状のジャックに対して、そのデータ通信の種類（つまりは利用用途の相違）に応じて、差し込むべきプラグを交換するだけで、記録再生装置１としては異なる規格のデータ通信に対応できることになる。
また、例えばリモコン通信用と、ＩＥＥＥ１３９４に依るデータ通信用との各電極端子が個別に設けられた２つのＭＤジャックを記録再生装置１に対して設けるようにしてもよいものであるが、本実施の形態としては、ＭＤジャック２６に対して、両者のデータ通信規格に対応する電極端子を設けることで、１つのＭＤジャックにより、両者のデータ通信規格に対応可能としている。
このようにして、複数のデータ通信規格に対応する場合でも、本実施の形態の記録再生装置１では、例えば１つのＭＤジャック２６により対応することが可能とされる。これにより、記録再生装置１としては複数のデータ通信規格に対応する構成を採っても、新規に別個のＭＤジャック（又はデータ通信用のコネクタ）を設ける必要が無いことになる。
【００６３】
また、本実施の形態において、データ通信用ケーブル２０２を介して記録再生装置１とデータ入出力機器２００間とでオーディオデータの通信を行う場合には、記録再生装置１であれば端子Ｔ１６を介したバッテリ伝送ラインが、記録再生装置１とデータ入出力機器２００間とで形成されることで、例えば、記録再生装置１の動作電源を、データ入出力機器２００の電源回路からバッテリ伝送ライン（端子Ｔ１６）を介して入力してこれを利用するようにすることが可能である。この場合、例えば記録再生装置１に対してバッテリを用意したり、ＡＣアダプタなどの電源供給手段を接続する必要が無くなるため、それだけ、ユーザがシステムのセットアップに要する手間は省かれることになる。
【００６４】
なお、本実施の形態のデータ通信プラグ２１０としては、ヘッドフォンプラグ２１２はダミーであることから、ヘッドフォンプラグ２１２を省略してコネクタ部２１３のみがコネクタ部位として設けられるように構成することも可能である。但し、ヘッドフォンプラグ２１２が備えられることで、例えばコネクタ部２１３のみによる場合よりも接続強度が増すため、それだけ機械的信頼性を高めることが可能となるものである。
【００６５】
また、本実施の形態としてのデータ通信用プラグ及びジャックの構造及び具体的各部形状等は、図３，図４及び図５，図６に示したものに限定されるものではなく、実際の使用条件等に応じて適宜変更されて構わない。
例えば、データ通信用プラグ及びジャックにおける電極の配置位置としては、データ通信用プラグとジャックが接続された状態のときに、互いの所要の電極同士が接触し合うと共に、データ通信用ジャック側における他のデータ通信規格に対応する電極が設けられている場合は、これらの電極とデータ通信用プラグにおける電極とは接触しないようにされればよく、任意に変更可能である。
【００６６】
また、上記実施の形態では、データ通信規格としてＩＥＥＥ１３９４に依る高速データ通信と、例えばローカル仕様のＴＳＢ等を利用した低速データ通信とに対応する場合について説明したが、これに限定されるものではなく、他の複数のデータ通信規格に対応する場合にも本発明は当然適用されるものである。
【００６７】
更には、本発明としてのデータ通信用ジャックが搭載されるべき機器としては、ＭＤシステムに対応するＭＤプレーヤに限定される必要もなく、他の各種デジタルオーディオ機器、デジタルＡＶ機器に対して適用が可能である。更には、デジタルオーディオデータ以外の他の種類のデータ通信を行うためのデータ入出力装置に対しても、本発明のデータ通信用ジャックが搭載されて構わないものである。
【００６８】
【発明の効果】
以上説明したように本発明によれば、データ通信用ジャック及びデータ通信用プラグが或る特定のデータ通信規格に共通に対応する場合にのみ、両者を接続したときにそれぞれが有する、上記或る特定のデータ通信規格に対応して設けられている電極端子同士が接続されるようにすることが可能になる。従って、データ通信用ジャック及びデータ通信用プラグを形成する本体部などの規格形状としては、例えば現行のものをそのまま利用した上で、実際に設けるべき電極端子の配置位置についてのみ、対応すべきデータ通信規格に適合させるようにして変更して構成すればよいことになる。これは、製造段階におけるコストダウンにもつながる。
【００６９】
また、上記発明として、データ通信用ジャック側においては、複数のデータ通信規格に対応して必要となる電極端子をそれぞれ個別に配置するようにして設け、複数のデータ通信規格の各々に対応すべきデータ通信用プラグ側では、データ通信用ジャックに接続可能な共通のコネクタ形状を与えた上で、それぞれのデータ通信規格に対応して、データ通信用ジャック側の所要の電極端子に接続可能な位置に電極端子を設けるように構成することが可能である。
これにより、１つのデータ通信用ジャックを複数のデータ通信規格に対応して共通化できることになり、このデータ通信用ジャックに対して接続するケーブル（即ちプラグ）を交換することで、異なるデータ通信規格に対応することが可能となる。
これは、特に小型化の促進が要求される携帯用の機器にとっては、データ通信用のコネクタを新規に追加する必要がなく現行のジャックを流用することが可能となるため有利となる。
【００７０】
また、或るデータ通信規格において、物理的仕様として電源伝送のためのラインを設けてもよいことが規定されているような場合、この或るデータ通信規格に対応するデータ通信用ジャックとデータ通信用プラグにも電源伝送のためのラインを設けるようにすることで、例えば、データ通信用ケーブルで接続される機器の何れか一方の機器の電源を利用して、他方の機器を駆動することができることになる。つまり、上記他方の機器側では例えばＡＣアダプタなどを接続したり、バッテリ駆動したりするなど、電源を用意しなくてもよいことになるので、それだけユーザにとっては機器を扱う上での煩雑さから開放されて、使い勝手が向上されることになる。
【００７１】
更には、データ通信に利用する機器がオーディオ機器であるような場合、データ通信用ジャックの近傍に音声信号用ジャックを設け、これに対応するようにしてデータ通信用プラグ側では、音声信号用プラグと一体化したプラグ本体形状とすることで、例え、データ通信にのみに利用するケーブルのプラグを機器本体のジャックに接続するような場合であっても、データ通信用プラグとデータ通信用ジャックとの嵌合による接続強度に加え、音声信号用プラグと音声信号用ジャックとの嵌合による接続強度も加わることになるため、それだけ、プラグとジャックとの接続強度が向上されて信頼性も高められることになる。
そして、上記構成のもとで、データ通信用ジャックと音声信号用ジャックを一体化したジャック本体の構造を採る、つまり１部品となるようにすれば、ジャック部位自体の機械的強度が増すと共に、製造能率の向上及び製造部品管理の容易性が得られることにもなる。
【図面の簡単な説明】
【図１】本発明の実施の形態が対応するデータ通信システムの一構成例を示す斜視図である。
【図２】本実施の形態のデータ通信用ジャックが搭載される記録再生装置の構成例を示すブロック図である。
【図３】本実施の形態のデータ通信用ジャックの構成を示す正面図である。
【図４】本実施の形態のデータ通信用ジャック（ＭＤジャック）の内部構成を示す断面図である。
【図５】本実施の形態のヘッドフォン／リモコンプラグの構成例を示す正面図、側面図及び断面図である。
【図６】本実施の形態のデータ通信プラグの構成例を示す正面図、側面図及び断面図である。
【符号の説明】
１  記録再生装置、２  スピンドルモータ、３ａ  対物レンズ、３  光学ヘッド、４  二軸機構、５  スレッド機構、６ａ  磁気ヘッド、６  磁気ヘッド駆動回路、７  ＲＦアンプ、８  エンコーダ／デコーダ部、９  サーボ回路、１０  アドレスデコーダ、１１  システムコントローラ、１２  メモリコントローラ、１３  バッファメモリ、１４  エンコーダ／デコーダ部、１５  Ｄ／Ａ変換器、１６  出力処理部、１７  ライン出力端子、１８  ヘッドフォンアンプ、１９  Ａ／Ｄ変換器、２１  データエンコーダ／デコーダ、２２  ヘッドフォンジャック、２３  リモコン接続部、２４  データ通信接続部、２５  データコネクタ、２６  ＭＤジャック、２９  操作部、３０  表示部、３１  電源部、９０  ディスク、１００  リモコン付きヘッドフォン、１０１  イヤードライバ、１０２  コード、１０３  リモコン部、１０３ａ  表示部、１０４  コード、１１０  ヘッドフォン／リモコンプラグ、１１１  プラグ本体、１１２  ヘッドフォンプラグ、１１３  コネクタ部、１２１〜１２４  電極端子、２００  データ入出力機器、２０１  データ通信用ジャック、２０２  データ通信用ケーブル、２０３  データ通信プラグ、２０４  コード、２１０  データ通信プラグ、２１１  プラグ本体、２１２  ヘッドフォンプラグ、２１３  コネクタ部、２２１〜２２６  電極端子、３００  ケースブロック、３０２  コネクタ開口部、３１１〜３１４，３２１〜３２６  電極端子、Ｔ１〜Ｔ４  端子、Ｔ１１〜Ｔ１６  端子、
【図１】
0004355376.tif 000002
【図２】
0004355376.tif 000003
【図３】
0004355376.tif 000004
【図４】
0004355376.tif 000005
【図５】
0004355376.tif 000006
【図６】
0004355376.tif 000007